(57)【要約】      （修正有）【課題】装身具用チェーン連結具を、使用者の手前で磁着を用いて簡便に連結得ることができる構造を提供する。【解決手段】一端で分離された無端チェーン２の装着時前方側に一対の連結具が設けられており、一方の連結具は、第１容器部４にＮ極またはＳ極の第１磁石５を設けると共に、第１磁石の先端を第１容器部の先端よりチェーンに沿って突出させる突出部６を有しており、他方の連結具は、第２容器部８内にＮ極またはＳ極の他方の第２磁石１０を内蔵すると共に、第２容器部の先端が第１磁石の突出部を略隙間無く嵌合しうる長さにチェーンに沿って突出する突出容器部９を有しており、第１容器部の第１磁石の突出部を第２容器部の突出容器部に嵌合して磁着させ、第１容器部の先端と第２容器部の突出容器部の先端を衝合する。【選択図】図３
0003228989.tif 000002
【実用新案登録請求の範囲】
【請求項１】
一端で分離された無端チェーンであって、該チェーンの装着時前方側に一対の連結具が設けられており、
一方の連結具は、第１容器部にＮ極またはＳ極のいずれか一方の第１磁石を設けると共に、第１磁石の先端を第１容器部の先端よりチェーンに沿って突出させる突出部を有しており、
他方の連結具は、第２容器内にＮ極またはＳ極のいずれか他方の第２磁石を内蔵すると共に、第２容器部の先端が前記第１磁石の突出部を略隙間無く嵌合しうる長さにチェーンに沿って突出する突出容器部を有しており、
第１容器部の第１磁石の突出部を第２容器部の突出容器部に嵌合した状態で第１磁石を第２磁石の先端に磁着させると共に、第１容器部の先端と第２容器部の先端が衝合してなることを特徴とする装身具用チェーン連結具。
【請求項２】
無端チェーンの装着時前方側に、装着具が設けられており、該装着具とチェーンの間に一対の連結具が設けられていることを特徴とする請求項１に記載の装身具用チェーン連結具。
【考案の詳細な説明】
【技術分野】
【０００１】
この考案は、宝玉やなどの装飾材を有する装身具用チェーンを、磁石を用いて無端に連結したり切り離したりすることができる連結具に関する。
【背景技術】
【０００２】
一般に、ネックレスやブレスレット等のチェーンは無端状にして首や腕などの身体の一部に装着されるが、従来は、背面に設けたフックを掛け止めて連結する必要があり、使用者が一人で操作するには手間と時間がかかっていた。
一方、装身具のチェーン着脱に磁石を用いる構造として、例えば特開２０１０−２３３７０１号では、Ｎ極、Ｓ極が平面的に交互に現れるように着磁されコーティングされた第１及び第２の磁石において、該第１及び第２の磁石を互いに異極となるものが接触するようにして吸着させた磁石と、前記第１及び第２の磁石の前記接触に係る面とは異なる面にそれぞれ連接された鎖連結具とを具備する構造からなっている。
しかし、上記構成では、Ｎ極、Ｓ極の磁石が磁着しても、磁着面とほぼ平行する方向に力がかかれば容易に磁力が損なわれ、磁石が剥がれてしまう惧れがある。
また、特開２００７−２２２３０１号の装身具用連結具では、 装身具の両端に取り付けられ、該装身具を無端状に連結する連結具であって、前記装身具の一端と他端にそれぞれ取り付けられる第１連結部と第２連結部とからなり、該第１連結部と第２連結部とが、それぞれ単一の中空筐体を該第１連結部と第２連結部の連結方向の中間部で外周方向に凹凸を有する直線又は曲線に沿って切断した形状の第１筐体と第２筐体を有し、該第１筐体と第２筐体内にはそれぞれ永久磁石が固定され、その各永久磁石は前記連結方向に直交する方向の両端部の一方がＮ極に他方がＳ極になるように着磁されており、前記第１筐体と第２筐体とは、その各筐体内に固定した永久磁石の異極が対向する連結位置で前記中空筐体を形成する接合状態となることを特徴としている。
上記構成であれば、永久磁石の磁着面と平行な方向に力が加わっても、磁着面は第１連結部と第２連結部との嵌合によって拘束されるので、外れることはないが、構造が複雑となり、小型化しにくいという不具合がある。
【先行技術文献】
【特許文献】
【０００３】
【特許文献１】特開２０１０−２３３７０１号公報
【特許文献２】特開２００７−２２２３０１号公報
【考案の概要】
【考案が解決しようとする課題】
【０００４】
この考案は、小型でありながら、チェーンの一端に極性の異なる磁石を内蔵した一対の留め具を固定し、一方の留め具には筐体の外方に一方の磁石先端を突出させ、他方の留め具には前記突出した磁石の先端を嵌合して内蔵した他方の磁石と磁着させる凹部を形成してなり、チェーンを所定の位置で着脱することができるようにして、チェーン前方に装飾品が配置されていても、後方に回り込まず、前方で連結することができる装身具用チェーン連結具を提供することにある。
【課題を解決するための手段】
【０００５】
この考案は上記課題を達成するために、請求項１の考案では、
一端で分離された無端チェーンであって、該チェーンの装着時前方側に一対の連結具が設けられており、
一方の連結具は、第１容器部にＮ極またはＳ極のいずれか一方の第１磁石を設けると共に、第１磁石の先端を第１容器部の先端よりチェーンに沿って突出させる突出部を有しており、
他方の連結具は、第２容器内にＮ極またはＳ極のいずれか他方の第２磁石を内蔵すると共に、第２容器部の先端が前記第１磁石の突出部を略隙間無く嵌合しうる長さにチェーンに沿って突出する突出容器部を有しており、
第１容器部の第１磁石の突出部を第２容器部の突出容器部に嵌合した状態で第１磁石を第２磁石の先端に磁着させると共に、第１容器部の先端と第２容器部の先端が衝合してなることを特徴とする。
請求項２の考案では、
無端チェーンの装着時前方側に、装着具が設けられており、該装着具とチェーンの間に一対の連結具が設けられていることを特徴とする。
【考案の効果】
【０００６】
この考案による装身具用連結具は、一方の連結具の第１容器部から突出する第１磁石を、他方の連結具の第２容器部内の凹部内の第２磁石に磁着させると、第１磁石の先端が第２容器部の突出容器部に嵌合して囲繞され、第１容器部の先端と第２容器部の先端が衝合して第１磁石の先端を第２容器部の先端で覆い、第１磁石と第２磁石の磁着個所に外部から力が加わっても、第２容器部の突出する部分が衝撃を緩衝して、第１および第２連結具の連結を保護することができる。
また、第１連結具と第２連結具は、チェーンの装着時前方側に配置されているので、使用者が手前位置で容易に連結することができる。
【図面の簡単な説明】
【０００７】
【図１】装身具用チェーン連結具の要部を示す側面図である。
【図２】一方の連結具と他方の連結部とを分離した状態の拡大図である。
【図３】一方の連結具と他方の連結部とを磁着した状態の拡大図である。
【考案を実施するための形態】
【０００８】
以下、この考案の装身具用チェーン連結具１の好ましい実施の形態を図１から図３を参照して具体的に説明する。
【実施例１】
【０００９】
装身具用チェーン連結具１は、一端で分離された無端チェーン２であって、該チェーン２の対向する端部２ａ、２ｂに、図示例では一対の連結具３、７が取り付けられている。
上記連結具３，７は、それぞれ１面が開口した略半球状の中空容器からなっており、閉止した容器底部にチェーン２の端部が固着されている。
【００１０】
前記端部２ａに溶着などで閉止された底部が連結された一方の連結具３は、第１容器部４内にＮ極またはＳ極のいずれか一方の第１磁石５を接着剤などで固定すると共に、第１磁石５の先端には第１容器部４の開口先端よりチェーンの延長方向に所定長さ突出する突出部６を有している。
【００１１】
第１磁石５は、柱状であって基端が第１容器部４内に接着剤などで固定されている。
従って、第１磁石５は一部が第１容器部４に内蔵されて固定されており、突出部６が第１容器部４の開口先端より外方に突出している。
【００１２】
次に、前記端部２ｂに溶着などで連結された他方の連結具７は、第２容器８内にＮ極またはＳ極の他方の第２磁石１０を内蔵し固定している。
第２容器部８の先端の開口側には前記第１磁石５の突出部６を略隙間無く嵌合しうる長さでチェーン２に沿って突出する突出容器部９が設けられている。
図示例では、第１容器部４と第２容器部８は、ほぼ同じ形状、同じ長さからなっているが、一方が他方より長い形状であってもよい。
【００１３】
上記構成からなっているので、第１容器部４の第１磁石５の突出部６を第２容器部８の突出容器部９に嵌合した状態で、第１容器部４の先端と第２容器部８の突出容器部９の先端が衝合し、同時に第１磁石５の突出部６を第２磁石１０の先端に磁着させることができる。
これにより、上記磁着面は突出容器部９によって覆われるので、上記磁着面と平行な方向に負荷がかかっても、第１容器部の先端と第２容器部の先端が衝合してなる。
【００１４】
この考案では、無端チェーン２の装着時前方側に、ペンダントや連珠などの装身具１１ａ、１１ｂ・・が設けられており、該装身具１１ａ、１１ｂを避けた装身具近傍位置に切り離し可能な一対の端部２ａ、２ｂが形成され、その端部２ａ、２ｂに一方の連結具３と他方の連結具７が設けられているので、使用者は、自らの手前で第１容器部４の第１磁石５と第２容器部８の第２磁石１０とを容易に磁着させることができる。
【００１５】
図示例では、装身具１１ａはチェーン連結具１より大きい装身具であり、装身具１１ｂは、チェーン連結具１とほぼ同じ大きさとなっており、装身具の並びに連結具１があっても目立ちにくく美観を損なうことがない。
【００１６】
また、前記連結具は複雑な構造ではないので、小型することができ、前記装身具１２と並んで設けられていても正面側に配置されていても違和感がなく、美観を損なうこともない。
【００１７】
上記実施例では容器部はいずれも略半球状の形状を例示したが、一方が有底の筒状で、他方が半球状や半楕円形状など、その他公知の形状であってもよく、また装身具に用いる小球状に合わせた形状であってもよい。
この考案は、要するに本考案の要旨を変更しない範囲で種々設計変更しうること勿論である。
【符号の説明】
【００１８】
１  装身具用チェーン連結具
２    無端チェーン
２ａ、２ｂ  端部
３    一方の連結具
４    第１容器部
５    第１磁石
６    突出部
７    他方の連結具
８    第２容器部
９    突出容器部
１０  第２磁石
１１ａ、１１ｂ  装身具
【図１】
0003228989.tif 000003
【図２】
0003228989.tif 000004
【図３】
0003228989.tif 000005
【手続補正書】
【提出日】令和2年8月24日(2020.8.24)
【手続補正１】
【補正対象書類名】実用新案登録請求の範囲
【補正対象項目名】請求項２
【補正方法】変更
【補正の内容】
【請求項２】
無端チェーンの装着時前方側に、装身具が設けられており、該装身具とチェーンの間に一対の連結具が設けられていることを特徴とする請求項１に記載の装身具用チェーン連結具。